(57)【要約】【課題】  ネットワーク切替制御方法及びシステムの提供。【解決手段】  主回線７又はバックアップ回線８を介してネットワーク６に接続するコンピュータシステムにおけるネットワーク切替制御方法であって、主回線７を介した信号の応答時間の変動が所定範囲時間に収まるか否かの第１の伝送品質を含むネットワーク伝送品質を制御部２が監視し、該監視した第１の伝送品質が閾値管理表５に格納した所定の閾値を越えた場合、閾値管理部４からの報告によって信号伝送回線をバックアップ回線８に切り替えるもの。この伝送品質は、主回線７を介した信号の応答時間が、所定時間を越えたか否かの第２の伝送品質であっても良い。【選択図】  図１
2005197899.tif 000002
【特許請求の範囲】
【請求項１】
主回線又はバックアップ回線を介してネットワークに接続するコンピュータシステムにおけるネットワーク切替制御方法であって、前記主回線を介した信号の応答時間の変動が所定範囲時間に収まるか否かの第１の伝送品質を含むネットワーク伝送品質を監視し、該監視した第１の伝送品質が所定の閾値を越えた場合、信号伝送回線を前記バックアップ回線に切り替えることを特徴とするネットワーク切替制御方法。
【請求項２】
前記ネットワーク伝送品質が、前記主回線を介した信号の応答時間が、所定時間を越えたか否かの第２の伝送品質を含み、該監視した第２の品質が所定の閾値を越えた場合、信号伝送回線を前記バックアップ回線に切り替えることを特徴とする請求項１記載のネットワーク切替制御方法。
【請求項３】
主回線又はバックアップ回線を介してネットワークに接続するコンピュータシステムにおいて、
前記主回線を介した信号の応答時間の変動が所定範囲時間に収まるか否かの第１の伝送品質を含むネットワーク伝送品質を監視する制御部と、前記第１の伝送品質による所定範囲時間を含む複数の閾値を格納したパラメータライブラリと、該パラメータライブラリに格納した閾値を一時的に格納するパラーメータ閾値管理表と、前記パラメータライブラリに格納した複数の閾値から、前記第１の品質の閾値である所定範囲時間をパラーメータ閾値管理表に読み込み、前記制御部により監視した第１の伝送品質が所定の閾値を越えた場合、信号伝送回線を前記バックアップ回線に切り替える指示を制御部に指示する閾値管理部とを備えることを特徴とするネットワーク切替制御システム。
【請求項４】
前記パラメータライブラリに格納するネットワーク伝送品質が、前記主回線を介した信号の応答時間が、所定時間を越えたか否かの第２の伝送品質を含み、閾値管理部が、前記パラメータライブラリに格納した第２の伝送品質の閾値を一時的にパラーメータ閾値管理表に格納し、制御部が監視した第２の伝送品質が所定の閾値を越えた場合、信号伝送回線を前記バックアップ回線に切り替えることを特徴とする請求項３記載のネットワーク切替制御システム。
【発明の詳細な説明】
【技術分野】
【０００１】
本発明は、主回線又はバックアップ回線を介してネットワークに接続するコンピュータシステムにおけるネットワーク切替制御方法及びネットワーク切替制御システムに係り、特に主回線のネットワーク伝送品質を監視するネットワーク切替制御方法及びネットワーク切替制御システムに関する。
【背景技術】
【０００２】
一般に従来技術による主回線又はバックアップ回線を介してネットワークに接続するコンピュータシステムは、主回線に障害が発して接続不良が生じた場合、信号の伝送経路をバックアップ回線に切り替える様に構成されている。
【０００３】
尚、前記ネットワーク切替制御システムに関する技術が記載された文献としては、例えば下記特許文献及び非特許文献が挙げられる。
【特許文献１】特開２００２−７７１８６号公報
【特許文献２】特開２０００−３４１２９６号公報
【特許文献３】特開２００１−１３６１７８号公報
【特許文献４】特開２０００−１７４８２５号公報
【特許文献５】特開２０００−１８４４１１号公報
【非特許文献１】ＲＦＣ２３３８  Ｖｉｒｔｕａｌ  Ｒｏｕｔｅｒ  Ｒｅｄｕｎｄａｎｃｙ  Ｐｒｏｔｏｃｏｌ，  Ｓ．  Ｋｎｉｇｈｔ，  Ｄ．  Ｗｅａｖｅｒ，  Ｄ．Ｗｈｉｐｐｌｅ，  Ｒ．  Ｈｉｎｄｅｎ，  Ｄ．  Ｍｉｔｚｅｌ，  Ｐ．  Ｈｕｎｔ，  Ｐ．  Ｈｉｇｇｉｎｓｏｎ，  Ｍ．  Ｓｈａｎｄ，  Ａ．Ｌｉｎｄｅｍ．  ，  ＩＥＴＦ，  Ａｐｒｉｌ  １９９８
【発明の開示】
【発明が解決しようとする課題】
【０００４】
前述の従来技術によるネットワーク切替制御システムは、主回線が切断される等の通信不能なレベルの障害を検知した場合に、伝送経路をバックアップ回線に切り替えるものであって、例えば回線切断まではいたらないもののネットワーク伝送品質が低下し、システムに要求される所定仕様を満足できない事や伝送が不安定になる事が多々あると言う不具合があった。
【０００５】
これを具体的に説明すると、例えば金融機関におけるＡＴＭに接続された行内コンピュータシステムが外部のホストコンピュータに主回線及びバックアップ回線とからなるネットワークを介して接続しているネットワークシステムにおいては、前記ＡＴＭが顧客操作による応答時間（レスポンス）の仕様が決められている。
【０００６】
例えば顧客が暗証番号を入力してからＡＴＭが応答する最長時間が決められており、主回線の障害によって前記応答時間が所定時間を超えることが頻繁に発生するタイムアウト障害や、前記所定時間内に応答があるものの、応答時間の変動が激しく、主回線に何等かの障害が発生していることが予想される障害、いわばレスポンスタイムが大幅に「ゆらぐ」障害等の不確定な障害が発生する事が有る。
【０００７】
しかしながら従来技術によるバックアップ回線への切り替えは、主回線のタイムアウトエラーが所定回数以上発生したときや、実際に回線が切断されたときに行われるため、このような重大な回線障害に至る前にバックアップ回線への切り替えを行うことができないと言う不具合があった。
【０００８】
尚、前記不確定な障害時における実際のバックアップ回線への切り替えは、例えば顧客からのクレームを行員が受け、この行員から依頼された保守担当員が、まずバックアップ回線への切り替えを行ってシステムの続行を優先し、この状態で主回線の障害の原因を調査することによって行われていた。
【０００９】
本発明の目的は、前述の従来技術による不具合を除去することであり、ネットワーク伝送品質を監視し、この伝送品質が低下した場合にバックアップ回線への切り替えを行うことにより、ネットワークの重大な伝送障害が発生する前にバックアップ回線に切り替えることができるネットワーク切替制御方法及びネットワーク切替制御システムを提供することである。
【課題を解決するための手段】
【００１０】
前記目的を達成するために本発明は、主回線又はバックアップ回線を介してネットワークに接続するコンピュータシステムにおけるネットワーク切替制御方法において、主回線を介した信号の応答時間の変動が所定範囲時間に収まるか否かの第１の伝送品質を含むネットワーク伝送品質を監視し、該監視した第１の伝送品質が所定の閾値を越えた場合、信号伝送回線を前記バックアップ回線に切り替えることを第１の特徴とし、このネットワーク切替制御方法において、前記ネットワーク伝送品質が、前記主回線を介した信号の応答時間が、所定時間を越えたか否かの第２の伝送品質を含み、該監視した第２の品質が所定の閾値を越えた場合、信号伝送回線を前記バックアップ回線に切り替えることを第２の特徴とする。
【００１１】
また本発明は、主回線又はバックアップ回線を介してネットワークに接続するコンピュータシステムにおいて、前記主回線を介した信号の応答時間の変動が所定範囲時間に収まるか否かの第１の伝送品質を含むネットワーク伝送品質を監視する制御部と、前記第１の伝送品質による所定範囲時間を含む複数の閾値を格納したパラメータライブラリと、該パラメータライブラリに格納した閾値を一時的に格納するパラーメータ閾値管理表と、前記パラメータライブラリに格納した複数の閾値から、前記第１の品質の閾値である所定範囲時間をパラーメータ閾値管理表に読み込み、前記制御部により監視した第１の伝送品質が所定の閾値を越えた場合、信号伝送回線を前記バックアップ回線に切り替える指示を制御部に指示する閾値管理部とを備えることを第３の特徴とし、このネットワーク切替制御システムにおいて、前記パラメータライブラリに格納するネットワーク伝送品質が、前記主回線を介した信号の応答時間が、所定時間を越えたか否かの第２の伝送品質を含み、閾値管理部が、前記パラメータライブラリに格納した第２の伝送品質の閾値を一時的にパラーメータ閾値管理表に格納し、制御部が監視した第２の伝送品質が所定の閾値を越えた場合、信号伝送回線を前記バックアップ回線に切り替えることを第４の特徴とする。
【発明の効果】
【００１２】
本発明によるネットワーク切替制御方法及びネットワーク切替制御システムは、主回線を介した信号の応答時間の変動が所定範囲時間に収まるか否かの第１の伝送品質及び前記主回線を介した信号の応答時間が所定時間を越えたか否かの第２の伝送品質を監視し、監視結果が閾値を越えた場合に信号伝送回線をバックアップ回線に切り替えることによって、ネットワークの重大な伝送障害が発生する前にバックアップ回線に切り替えることができる。
【発明を実施するための最良の形態】
【００１３】
以下、本発明によるネットワーク切替制御方法及びネットワーク切替制御システムの一実施形態を図面を参照して詳細に説明する。図１は本実施形態によるネットワーク切替制御方法及びネットワーク切替制御システムが適用されるネットワークシステムの概略構成を示す図、図２は本実施形態による伝送品質の閾値の登録する手順を説明するためのフローチャート、図３は本実施形態による伝送品質の監視手順を説明するためのフローチャートである。
【００１４】
本実施形態が適用されるネットワークシステムは、図１に示す如く、図示しない他のコンピュータシステムと接続するためのネットワーク６と、各種業務処理等を実行するためのＣＰＵ１と、該ＣＰＵ１とネットワーク６間で信号の伝送を行うために選択される主回線７及びバックアップ回線８と、前記ＣＰＵ１に接続され、後述する複数の伝送品質（ＱｏＳとも呼ぶ）の閾値を格納するＱｏＳパラメータライブラリ３とを備え、前記ＣＰＵ１は、前記ＱｏＳパラメータライブラリ３に格納した複数の閾値から任意に選択した１つ以上の閾値を登録することができるＱｏＳパラメータ閾値管理表５と、前記主回線７の複数の伝送品質を検出して監視する機能を含む制御部２と、該制御部２から受信した伝送品質と前記ＱｏＳパラメータ閾値管理表５に格納した閾値とを比較し、指定した伝送品質が予め定められた閾値を越えるとき、主回線７の伝送品質が低下したと判別し、伝送路をバックアップ回線８に切り替える様に前記制御部２に指示する閾値管理部４とを備える。
【００１５】
前記制御部２で監視されるネットワーク伝送品質とは、例えば、主回線７を介した信号の応答時間の変動が所定範囲時間に収まるか否かの第１の伝送品質や、主回線７を介した信号の応答時間が所定時間を越えたか否かの第２の伝送品質を含むものである。
【００１６】
前記第１の伝送品質を具体的に説明すると、例えば金融機関におけるＡＴＭを含むコンピュータシステムにおいては、顧客が暗証番号を入力してからＡＴＭが応答する最長時間が１０秒であり、定常状態においては６秒で応答する仕様と定められており、実際の応答時間が、９秒／５秒／９秒／１０秒／４秒／８秒の如く大きく変動、換言すればレスポンスタイムが大きく「ゆらぐ」場合、主回線に何等かの異常／不安定要因／過大負荷が生じていることを検出するためのものである。
【００１７】
前記第２の伝送品質は、前記ＡＴＭのシステムにおいては応答する最長時間が１０秒と規定され、従来技術においては前記最長時間を越える事が連続して発生した場合にバックアップ回線に切り替えるものであったのに対し、所定時間（例えば１０分／３０分／６０分間）内に前記最長時間を越える事が所定回数（例えば２回／６回／１２回）以上発生した場合、主回線に何等かの異常／不安定要因／過大負荷が生じていることを検出するためのものである。尚、前記ネトワーク伝送品質は、前記したものに限られるものではない。
【００１８】
この様に構成されたネットワークシステムは、ネットワークの設定時、図２に示す如く、ＱｏＳパラメータライブラリ３から管理者が選定した任意の伝送品質を選択（ステップ３０１）すると、制御部２が選択した伝送品質（ＱｏＳパラメータ）の閾値を前記ライブラリから読み出して閾値管理部４を介してＱｏＳパラメータ閾値管理表５に登録（ステップ３０２）することにより、登録した伝送品質（ＱｏＳパラメータ）の閾値を設定し（ステップ３０３）、次いで前記閾値の監視間隔を設定（ステップ３０４）して処理を終了する。尚、この閾値の設定は１つに限られるものではない。
【００１９】
次いで本システムは、図３に示す如く、制御部２が設定された監視間隔毎に主回線７の登録された伝送品質（ＱｏＳパラメータ）の値、例えば前記第１の伝送品質の場合、一定時間内の複数の応答時間の値を取得（ステップ４０１）し、この取得した監視値が閾値を越えているか否か判定する（ステップ４０２）。
【００２０】
このステップ４０２は、例えば、前例で示したＡＴＭの応答時間が９秒／５秒／９秒／１０秒／４秒／８秒の場合、定常状態の応答時間６秒と前記各応答時間との偏差を取り、この偏差が閾値より大きい場合に「ゆらぎ」が大きいと判定するものである。
【００２１】
次いで本システムは、前記ステップ４０２において閾値を越えていると判定した場合、主回線７を用いた伝送をバックアップ回線８に切り替える（ステップ４０３）様に動作して処理を終了する。この動作は、前述した第２の伝送品質においても同様であり、例えば所定の監視時間内にオーバータイムが２回以上発生した場合に回線の切り替えを行う様に動作する。
【００２２】
この様に本実施形態によるネットワーク切替制御方法及びネットワーク切替制御システムは、主回線７の予め指定された伝送品質を監視し、該伝送品質が閾値を越えたときにバックアップ回線８への切り替えを行うことによって、主回線７の切断等の重大な障害が発生する以前にバックアップ回線８への切り替えを行うことができ、このため保守員が適切な対応をとることができる。
【００２３】
尚、前記実施形態においては、１台のコンピュータシステム（ＣＰＵ１）がネットワーク６に接続している形態を例にとって説明したが、本発明はこれに限られるものではなく、例えば複数のコンピュータシステムがネットワーク６に接続する構成とし、前記ＱｏＳパラメータライブラリ３を複数のコンピュータシステムで共有する様に構成することもでき、或いは複数のコンピュータシステムがＱｏＳパラメータライブラリ３／閾値管理部４／ＱｏＳパラメータ閾値管理表５を共有する様に構成しても良い。
【産業上の利用可能性】
【００２４】
本発明は、主回線又はバックアップ回線を介してネットワークに接続し、該ネットワークを介したレスポンスタイム等の伝送品質が予め設定されているコンピュータのネットワークシテムに好適であり、特に顧客が直接操作する機器を含む金融機関や公共機関のシステムに好適である。
【図面の簡単な説明】
【００２５】
【図１】本発明ネットワーク切替制御方法及びネットワーク切替制御システムが適用されるネットワークシステムの概略構成を示す図。
【図２】本実施形態による伝送品質の閾値の登録する手順を説明するためのフローチャート。
【図３】本実施形態による伝送品質の監視手順を説明するためのフローチャート。
【符号の説明】
【００２６】
１：ＣＰＵ、２：制御部、３：ＱｏＳパラメータライブラリ、４：閾値管理部、５：パラメータ閾値管理表、６：ネットワーク、７：主回線、８：バックアップ回線。
【図１】
2005197899.tif 000003
【図２】
2005197899.tif 000004
【図３】
2005197899.tif 000005